(57)【要約】【課題】サンプリング位相を容易に最適化できるようにする。【解決手段】Ａ／Ｄ変換部１２は、アナログ映像信号ＳＶaをサンプリングクロックＣＫsでサンプリングしてディジタル映像信号ＤＶaに変換する。位相判別データ生成部１６は、映像信号ＤＶaの輝度レベルから位相判別データＰＤを生成する。制御部３０は、映像信号ＳＶaの供給が開始されたとき、位相判別データＰＤが最適な位相状態を示すようにクロック生成部１４で生成されるサンプリングクロックＣＫsの位相を設定する。その後、位相判別データＰＤが予め設定されている閾値を超えたことでサンプリングクロックの位相をさらに最適化できることが示されたとき、サンプリングクロックＣＫsの位相を再設定する。【選択図】        図１
2009060454.tif 000002
【特許請求の範囲】
【請求項１】
アナログ映像信号をサンプリングクロックでサンプリングしてディジタル映像信号に変換するＡ／Ｄ変換部と、
前記サンプリングクロックを生成するクロック生成部と、
前記Ａ／Ｄ変換部から出力されるディジタル映像信号の輝度レベルから位相判別データを生成する位相判別データ生成部と、
前記位相判別データが最適な位相状態を示すように前記クロック生成部で生成される前記サンプリングクロックの位相を設定する制御部とを有し、
前記制御部は、前記アナログ映像信号の供給が開始されたとき、前記サンプリングクロックの位相を設定して、その後、前記位相判別データが予め設定されている閾値を超えたことで前記サンプリングクロックの位相をさらに最適化できることが示されたとき、前記サンプリングクロックの位相を再設定する
ことを特徴とする映像信号処理装置。
【請求項２】
前記制御部は、前記サンプリングクロックの位相の再設定が所定回数を超えたとき、前記位相判別データが予め設定されている閾値を超えても、前記サンプリングクロックの位相の再設定を行わないものとする
ことを特徴とする請求項１記載の映像信号処理装置。
【請求項３】
前記位相判別データが予め設定されている閾値を超えたとき、前記サンプリングクロックの位相を再設定するか否かの選択メニューを表示する表示部を設け、
前記制御部は、前記表示部で選択メニューの表示が行われて、ユーザから再設定の指示がなされたとき、前記サンプリングクロックの位相を再設定する
ことを特徴とする請求項１記載の映像信号処理装置。
【請求項４】
前記制御部は、前記アナログ映像信号の入力期間中に前記位相判別データ生成部で生成された位相判別データの最大値を記憶するものとして、次に前記アナログ映像信号が入力されたとき、前記記憶されている位相判別データの最大値から前記閾値を設定する
ことを特徴とする請求項１記載の映像信号処理装置。
【請求項５】
アナログ映像信号をディジタル映像信号に変換して、該ディジタル映像信号の信号処理を行い、信号処理後の前記ディジタル映像信号に基づいて映像表示を行う映像表示装置において、
前記アナログ映像信号をサンプリングクロックでサンプリングして前記ディジタル映像信号に変換するＡ／Ｄ変換部と、
前記サンプリングクロックを生成するクロック生成部と、
前記Ａ／Ｄ変換部から出力されるディジタル映像信号の輝度レベルから位相判別データを生成する位相判別データ生成部と、
前記位相判別データが最適な位相状態を示すように前記クロック生成部で生成される前記サンプリングクロックの位相を設定する制御部とを有し、
前記制御部は、前記アナログ映像信号の供給が開始されたとき、前記サンプリングクロックの位相を設定して、その後、前記位相判別データが予め設定されている閾値を超えたことで前記サンプリングクロックの位相をさらに最適化できることが示されたとき、前記位相判別データが最適な位相状態であることを示すように前記クロック生成部で生成される前記サンプリングクロックの位相を再設定する
ことを特徴とする映像表示装置。
【請求項６】
アナログ映像信号をサンプリングクロックでサンプリングしてディジタル映像信号に変換するＡ／Ｄ変換部のサンプリング位相調整方法において、
前記Ａ／Ｄ変換部から出力されるディジタル映像信号の輝度レベルから位相判別データを生成する工程と、
前記位相判別データが最適な位相状態を示すように前記クロック生成部で生成される前記サンプリングクロックの位相を設定する制御工程を設け、
前記制御工程では、前記アナログ映像信号の供給が開始されたとき、前記サンプリングクロックの位相を設定して、その後、前記位相判別データが予め設定されている閾値を超えたことで前記サンプリングクロックの位相をさらに最適化できることが示されたとき、前記サンプリングクロックの位相を再設定する
ことを特徴とするサンプリング位相調整方法。
【発明の詳細な説明】
【技術分野】
【０００１】
この発明は、映像信号処理装置と映像表示装置およびサンプリング位相調整方法に関する。詳しくは、アナログ映像信号の供給が開始されてＡ／Ｄ変換部のサンプリング位相が設定されたのち、アナログ映像信号がサンプリング位相の設定に適した信号となったときサンプリング位相を再設定することで、正しいディジタル信号を得られるようにするものである。
【背景技術】
【０００２】
映像信号処理装置では、高精細で高画質の映像表示を行うことができるように、ディジタル映像信号を用いて種々の信号処理が行われている。このような映像信号処理装置では、ＤＶＩ−Ｉ(Digital Visual Interface Integrated)方式、ＤＶＩ−Ｄ(Digital Visual Interface Digital)方式、ＨＤＭＩ(High Definition Multimedia Interface)方式等のディジタル信号が入力できるように構成されている。また、アナログ映像信号を出力する外部機器も接続できるように、アナログ入力端子が設けられている。このアナログ入力端子に入力されたアナログ映像信号は、Ａ／Ｄ変換部でディジタル映像信号に変換されて、このディジタル映像信号を用いて種々の信号処理が行われる。
【０００３】
ここで、最初の処理であるＡ／Ｄ変換処理は非常に重要な処理であり、Ａ／Ｄ変換処理が正確に行われないと、それ以降のディジタル信号処理で高画質処理等を行っても、表示される映像は高品質なものにはならない。このため、Ａ／Ｄ変換処理でアナログ映像信号をディジタル映像信号に正しく変換するため、アナログ映像信号が供給されたときサンプリング位相の設定が行われている。
【０００４】
図５は、従来のサンプリング位相設定動作を示すフローチャートである。アナログ入力端子に入力されたアナログ映像信号を選択した場合、ステップＳＴ３１で映像信号処理装置は周波数計測を行う。この周波数計測において、映像信号処理装置はアナログ映像信号の同期信号から水平周波数や垂直周波数等を計測する。
【０００５】
ステップＳＴ３２で映像信号処理装置は信号判別を行い、判別された信号に応じてサンプリングクロックの周波数設定を行う。すなわち、映像信号処理装置は、ステップＳＴ３１の周波数計測結果に基づき、どのような方式のアナログ映像信号が入力されたかを判別して、判別されたアナログ映像信号に応じた周波数のサンプリングクロックを生成して、このサンプリングクロックでアナログ映像信号のサンプリングを行い、ディジタル映像信号を生成する。
【０００６】
ステップＳＴ３３で映像信号処理装置はサンプリング位相設定処理を行う。すなわち、映像信号処理装置は、Ａ／Ｄ変換を行うことにより得られたディジタル映像信号を用いて位相判別データを生成する。この位相判別データは、Ａ／Ｄ変換処理におけるサンプリング位相が最適な状態であるか否かを判別するためのデータである。さらに、映像信号処理装置は、位相判別データが最適な位相状態を示すようにサンプリング位相を設定する。例えば、引用文献１の発明では、隣接する画素間のディジタル映像信号の差分を位相判別データとして用いて、この位相判別データが最大となるようにサンプリング位相を設定することが行われている。
【０００７】
【特許文献１】特開２０００−１５２０３０号公報
【発明の開示】
【発明が解決しようとする課題】
【０００８】
ところで、図５に示すようにしてサンプリング位相の設定を行う場合、アナログ入力端子に入力されたアナログ映像信号が低周波成分のみであるとき、設定されたサンプリング位相は最適な状態とならないおそれがある。例えば図６に示すように輝度変化が滑らかで隣接画素間のレベル差の少ない映像のアナログ映像信号や、全面単色の映像のアナログ映像信号であるとき、サンプリング位相を変化させても位相判別データの変化が少ないため、設定されたサンプリング位相は最適な状態となっていない場合が生じてしまう。
【０００９】
図７は、Ａ／Ｄ変換動作とサンプリング位相の関係を示している。図７の（Ａ）は、輝度変化が滑らかで隣接画素間のレベル差の少ない映像のアナログ映像信号を示しており、図７の（Ｂ）に示すサンプリングクロックの立ち上がりでサンプリングを行うと、ディジタル映像信号は図７の（Ｃ）に示すものとなる。また、図７の（Ｂ）よりもサンプリングクロックを遅延させて例えば図７の（Ｄ）に示すものとした場合、ディジタル映像信号は図７の（Ｅ）に示すものとなる。ここで、隣接する画素間の信号レベル差は、図７の（Ｃ）と図７の（Ｅ）の場合で大きな差を生じていない。このため、隣接する画素間のディジタル映像信号の差分を位相判別データとして用いた場合、設定されたサンプリング位相は最適な状態となっていない場合が生じる。さらに、設定されたサンプリング位相が最適な状態でないと、アナログ映像信号が高周波成分を多く含むものとなったとき、例えば図８に示すように細かい文字や線が描かれている映像のアナログ映像信号に切り替わったとき、細かい文字や線はボケを生じて表示されてしまう。
【００１０】
そこで、この発明では、アナログ映像信号をサンプリングクロックでサンプリングしてディジタル映像信号に変換する際に、サンプリング位相を容易に最適化できるようにするものである。
【課題を解決するための手段】
【００１１】
この発明の概念は、サンプリング位相を設定してアナログ映像信号をディジタル映像信号に変換したのち、アナログ映像信号の映像がサンプリング位相の設定に適した映像となったとき、サンプリング位相の再設定を行うようにすることで、サンプリング位相を容易に最適化できるようにするものである。
【００１２】
この発明に係る映像信号処理装置は、アナログ映像信号をサンプリングクロックでサンプリングしてディジタル映像信号に変換するＡ／Ｄ変換部と、サンプリングクロックを生成するクロック生成部と、Ａ／Ｄ変換部から出力されるディジタル映像信号の輝度レベルから位相判別データを生成する位相判別データ生成部と、位相判別データが最適な位相状態を示すようにクロック生成部で生成されるサンプリングクロックの位相を設定する制御部とを有し、制御部は、アナログ映像信号の供給が開始されたとき、サンプリングクロックの位相を設定して、その後、位相判別データが予め設定されている閾値を超えたことでサンプリングクロックの位相をさらに最適化できることが示されたとき、サンプリングクロックの位相を再設定するものである。
【００１３】
また、この発明に係る映像表示装置は、アナログ映像信号をディジタル映像信号に変換して、該ディジタル映像信号の信号処理を行い、信号処理後のディジタル映像信号に基づいて映像表示を行う映像表示装置において、アナログ映像信号をサンプリングクロックでサンプリングしてディジタル映像信号に変換するＡ／Ｄ変換部と、サンプリングクロックを生成するクロック生成部と、Ａ／Ｄ変換部から出力されるディジタル映像信号の輝度レベルから位相判別データを生成する位相判別データ生成部と、位相判別データが最適な位相状態を示すようにクロック生成部で生成されるサンプリングクロックの位相を設定する制御部とを有し、制御部は、アナログ映像信号の供給が開始されたとき、サンプリングクロックの位相を設定して、その後、位相判別データが予め設定されている閾値を超えたことでサンプリングクロックの位相をさらに最適化できることが示されたとき、位相判別データが最適な位相状態であることを示すようにクロック生成部で生成されるサンプリングクロックの位相を再設定するものである。
【００１４】
さらに、この発明に係るサンプリング位相調整方法は、アナログ映像信号をサンプリングクロックでサンプリングしてディジタル映像信号に変換するＡ／Ｄ変換部のサンプリング位相調整方法において、Ａ／Ｄ変換部から出力されるディジタル映像信号の輝度レベルから位相判別データを生成する工程と、位相判別データが最適な位相状態を示すようにクロック生成部で生成されるサンプリングクロックの位相を設定する制御工程を設け、制御工程では、アナログ映像信号の供給が開始されたとき、サンプリングクロックの位相を設定して、その後、位相判別データが予め設定されている閾値を超えたことでサンプリングクロックの位相をさらに最適化できることが示されたとき、サンプリングクロックの位相を再設定するものである。
【発明の効果】
【００１５】
この発明によれば、アナログ映像信号の供給が開始されたとき、サンプリングクロックの位相を設定して、その後、位相判別データが予め設定されている閾値を超えたことでサンプリングクロックの位相をさらに最適化できることが示されたとき、サンプリングクロックの位相を再設定するものである。
【００１６】
このため、サンプリングクロックの位相を設定した後に映像がサンプリング位相の設定に適した映像となったとき、サンプリング位相の再設定が行われて、サンプリング位相を容易に最適化できる。
【発明を実施するための最良の形態】
【００１７】
以下、図を参照しながら、この発明の実施の一形態について説明する。図１は映像表示装置の構成を示している。映像表示装置１０の入力端子１１は、外部機器から供給されたアナログ映像信号ＳＶaやアナログ映像信号ＳＶaの同期信号ＳＹを入力するためのものであり、Ａ／Ｄ変換部１２と周波数計測部１３が接続されている。
【００１８】
Ａ／Ｄ変換部１２は、後述するクロック生成部１４から供給されたサンプリングクロックＣＫsで、外部機器から供給されたアナログ映像信号ＳＶaをサンプリングしてディジタル映像信号ＤＶaに変換する。このディジタル映像信号ＤＶaは位相判別データ生成部１６と信号切換部２１に供給される。
【００１９】
周波数計測部１３は、同期信号ＳＹから水平周波数と垂直周波数等を計測して、計測結果ＭＦを後述する制御部３０に供給する。
【００２０】
クロック生成部１４は、制御部３０からの制御信号ＣＴに基づいてサンプリングクロックＣＫsの生成を行い、生成したサンプリングクロックＣＫsをＡ／Ｄ変換部１２に供給する。また、クロック生成部１４は、制御部３０からの制御信号ＣＴに基づいてサンプリングクロックＣＫsの位相調整を行う。
【００２１】
ディジタル入力インタフェース部１５は、ＤＶＩ−Ｉ方式、ＤＶＩ−Ｄ方式、ＨＤＭＩ方式等のディジタル信号を入力するためのインタフェースである。ディジタル入力インタフェース部１５は、供給された種々の方式のディジタル信号のデフォーマットを行い、得られたディジタル映像信号ＤＶbを信号切換部２１に供給する。
【００２２】
位相判別データ生成部１６は、ディジタル映像信号ＤＶaから位相判別データＰＤを生成して制御部３０に供給する。この位相判別データＰＤは、Ａ／Ｄ変換部１２においてアナログ映像信号ＳＶaをサンプリングしてディジタル映像信号ＤＶaに変換したときのサンプリング位相が、最適な状態であるときと最適でない状態でデータ値が異なるデータである。
【００２３】
図２は、Ａ／Ｄ変換動作とサンプリング位相の関係を示している。図２の（Ａ）は、アナログ映像信号ＳＶaを示している。なお、アナログ映像信号ＳＶaは例えば黒画素と白画素が交互に設けられた映像の信号とする。
【００２４】
サンプリング位相が図２の（Ｂ）に示すように最適となっていない場合（なお、サンプリング位相はローレベル「Ｌ」からハイレベル「Ｈ」の立ち上がりのタイミングとする）、ディジタル映像信号ＤＶaは図２の（Ｃ）に示すものとなる。また、サンプリング位相が図２の（Ｄ）に示すように最適となっている場合、ディジタル映像信号ＤＶaは図２の（Ｅ）に示すものとなる。すなわち、サンプリング位相が最適でないときには、隣接する画素間の信号レベル差ＬＢが小さくなってしまう。また、ディジタル映像信号ＤＶaの信号レベルの最大値が小さくなったり、最小値が大きくなったりする。したがって、位相判別データＰＤとして、例えば隣接する画素間の信号レベル差を用いるものとすれば、信号レベル差が最大となるようにサンプリングクロックの位相を調整することで、サンプリング位相を最適化できる。なお、隣接する画素間の信号レベル差を用いる場合、予め指定した位置の２つの画素間の信号レベル差のみを用いるものとすると、映像によっては信号レベル差を生じない場合がある。したがって、隣接する画素間の信号レベル差を１ライン分累積して位相判別データＰＤとしたり、予め指定した領域に含まれる画素について、隣接する画素間の信号レベル差を累積して位相判別データＰＤとすることで、サンプリング位相の状態を正しく示す位相判別データＰＤを生成できる。
【００２５】
また、位相判別データＰＤとして例えば信号レベルの最大値や最小値を用いるものとしてもよい。この場合、最大値が最大となるようにあるいは最小値が最小となるようにサンプリングクロックの位相を調整することで、サンプリング位相を最適化できる。
【００２６】
信号切換部２１は、Ａ／Ｄ変換部１２から供給されたディジタル映像信号ＤＶa、あるいはディジタル入力インタフェース部１５から供給されたディジタル映像信号ＤＶbのいずれかを選択して、ディジタル映像信号ＤＶcとしてオンスクリーン表示処理部２２に供給する。
【００２７】
オンスクリーン表示処理部２２は、後述する制御部３０からの制御信号ＣＴに基づき、オンスクリーン表示信号を生成する。さらに、オンスクリーン表示信号と信号切換部２１から供給されたディジタル映像信号ＤＶcを合成して、ディジタル映像信号ＤＶcに基づく映像にオンスクリーン表示信号に基づく映像を合成した映像のディジタル映像信号ＤＶdを生成して信号処理部２３に供給する。
【００２８】
信号処理部２３は、オンスクリーン表示処理部２２から供給されたディジタル映像信号ＤＶdを用いてインタレース／プログレッシブ変換(Ｉ／Ｐ変換)処理や画素数変換処理等を必要に応じて行う。さらに、処理後の映像信号に対してシャープネス補正や色合い補正、ホワイトバランス補正、ノイズ除去等の画質改善処理を行い、ディジタル映像信号ＤＶeとして映像出力処理部２４に供給する。
【００２９】
映像出力処理部２４には、例えばＬＣＤ（Liquid Crystal Display），ＰＤＰ（Plasma Display Panel），ＥＬ(Electro Luminescence)，陰極線管などの表示デバイスを用いて構成された表示部２５が接続されている。映像出力処理部２４は、ディジタル映像信号ＤＶeに基づき、表示デバイスを駆動するための表示駆動信号ＤＲvを生成して表示部２５に供給する。このため、入力端子１１に供給されたアナログ映像信号に基づく映像や、ディジタル入力インタフェース部１５に供給されたＤＶＩ−Ｉ方式等のディジタル信号に基づく映像表示を行うことができる。
【００３０】
制御部３０にはユーザインタフェース部３１や記憶部３２が接続されている。ユーザインタフェース部３１はユーザ操作に応じた操作信号ＰＳを制御部３０に供給するものであり、例えば操作キーやリモートコントロール信号受信部等で構成されている。
【００３１】
記憶部３２は、Ａ／Ｄ変換部１２におけるサンプリング位相を最適化するために用いられるデータを記憶する。
【００３２】
制御部３０は、上述の各部と接続されている。制御部３０は、ユーザインタフェース部３１からの操作信号ＰＳに基づき、制御信号ＣＴを生成して各部に供給することで、映像表示装置の動作がユーザ操作に応じた動作となるように制御する。例えば、ユーザインタフェース部３１から供給された操作信号ＰＳによって、入力切換操作が行われたことが示されたとき、制御部３０は、選択された信号に基づく映像表示が行われるように信号切換部２１の動作を制御する。
【００３３】
また、制御部３０は、入力端子１１にアナログ映像信号ＳＶaが供給されたとき、あるいはアナログ映像信号ＳＶaに基づく映像表示を行うように信号切換部２１を制御したとき、周波数計測部１３から供給された計測結果ＭＦと位相判別データ生成部１６から供給された位相判別データＰＤに基づきクロック生成部１４の動作を制御して、クロック生成部１４からＡ／Ｄ変換部１２に供給されるサンプリングクロックＣＫsの周波数設定や位相設定を行う。さらに、制御部３０は、位相判別データＰＤに基づきアナログ映像信号ＳＶaがサンプリング位相の設定に適した信号であることを判別したとき、サンプリング位相の再設定動作を行う。
【００３４】
次に、サンプリング位相の設定動作について、図３のフローチャートを用いて説明する。
【００３５】
制御部３０は、入力端子１１にアナログ映像信号ＳＶaが供給されたとき、サンプリング位相の設定動作を開始する。例えば、周波数計測部１３に同期信号ＳＹが供給されて、周波数の計測が行われたことを制御部３０で検出したときサンプリング位相の設定動作を開始する。
【００３６】
ステップＳＴ１で制御部３０は、周波数計測部１３から周波数計測結果ＭＦを取得してステップＳＴ２に進む。
【００３７】
ステップＳＴ２で制御部３０は、アナログ映像信号ＳＶaの信号判別を行う。すなわち、制御部３０は、ステップＳＴ１で取得した計測結果ＭＦで示された水平周波数や垂直周波数からアナログ映像信号ＳＶaの判別を行い、この判別結果に基づいてクロック生成部１４を制御して、アナログ映像信号ＳＶaに対応した周波数のサンプリングクロックＣＫsをＡ／Ｄ変換部１２に供給させる。
【００３８】
ステップＳＴ３で制御部３０は、サンプリング位相設定処理を行う。このサンプリング位相設定処理において、制御部３０は、位相判別データ生成部１６から位相判別データＰＤの取得と、クロック生成部１４を制御してサンプリングクロックＣＫsの位相の可変処理を行い、位相判別データＰＤが最適なサンプリング位相であることを示す状態となるサンプリングクロックＣＫsの位相を判別して、この判別した位相にサンプリングクロックＣＫsを設定して、サンプリング位相設定処理を終了する。
【００３９】
ステップＳＴ４で制御部３０は、アナログ映像信号ＳＶaに基づいた映像表示を行う。例えば、制御部３０は、Ａ／Ｄ変換部１２から出力されたディジタル映像信号ＤＶaを信号切換部２１で選択するように制御している場合、サンプリング位相設定処理が完了するまで映像出力処理部２４から表示駆動信号ＤＲvの出力を停止される。その後、サンプリング位相設定処理が完了してステップＳＴ４に進んだとき、映像出力処理部２４から表示駆動信号ＤＲvを出力させる。
【００４０】
ステップＳＴ５で制御部３０は、位相判別データＰＤを取得してステップＳＴ６に進む。
【００４１】
ステップＳＴ６で制御部３０は、位相判別データＰＤが閾値を超えているか否かを判別する。制御部３０は、位相判別データＰＤが閾値を超えたことでサンプリングクロックの位相をさらに最適化できることが示されたときステップＳＴ７に進み、位相判別データＰＤが閾値を超えておらずサンプリングクロックの位相をさらに最適化できることが示されていないときはステップＳＴ５に戻る。この閾値は予め設定しておく、あるいは後述するように動的に変化させる。
【００４２】
例えば位相判別データＰＤとして隣接する画素間の信号レベル差や信号レベルの最大値を用いる場合、位相判別データＰＤが閾値を超えて大きくなったときはサンプリングクロックの位相をさらに最適化できるものとしてステップＳＴ７に進む。また、位相判別データＰＤとして信号レベルの最小値を用いる場合、位相判別データＰＤが閾値を超えて小さくなったときはサンプリングクロックの位相をさらに最適化できるものとしてステップＳＴ７に進む。
【００４３】
ステップＳＴ７で制御部３０は、位相判別データＰＤは最初に取得した値を超えているか否かを判別する。制御部３０は、位相判別データが最初に取得した値を超えていると判別したときステップＳＴ８に進み、位相判別データが最初に取得した値を超えていると判別されないときにステップＳＴ５に戻る。
【００４４】
ステップＳＴ８で制御部３０は、サンプリング位相の再設定を行うように設定されているか否か判別する。制御部３０は、ユーザによってあるいは初期設定によってサンプリング位相の再設定を行うように設定されているときにはステップＳＴ９に進み、サンプリング位相の再設定を行うように設定されていないときはサンプリング位相の設定動作を終了する。
【００４５】
ステップＳＴ９で制御部３０は、サンプリング位相の再設定をユーザ指示に応じて行うか否かを判別する。制御部３０は、ユーザによってあるいは初期設定によってサンプリング位相の再設定をユーザの指示に応じて行うように設定されているときにはステップＳＴ１０に進み、ユーザの指示を必要とすることなく自動的にサンプリング位相の再設定を行うように設定されているときにはステップＳＴ１３に進む。
【００４６】
ステップＳＴ１０で制御部３０は、サンプリング位相の再設定を行うか否かをユーザに選択させるための選択メニュー表示を行いステップＳＴ１１に進む。例えば制御部３０は、オンスクリーン表示処理部２２を制御して「位相調整はしましたが、より最適な信号で再設定を行いますか？」等の表示を行い、サンプリング位相の再設定を行うか否かをユーザに選択させる。
【００４７】
ステップＳＴ１１で制御部３０は、サンプリング位相の再設定を行うか否かを判別する。制御部３０は、ユーザによってサンプリング位相の再設定を行う指示がなされたときは選択メニュー表示を消去してステップＳＴ１２に進み、サンプリング位相の再設定を行う指示がなされないときは選択メニュー表示を消去して、サンプリング位相の設定動作を終了する。
【００４８】
ステップＳＴ１２で制御部３０は、サンプリング位相の再設定回数がユーザによってあるいは初期設定によって予め設定されているＭ回目以下であるか否かを判別する。制御部３０は、サンプリング位相の再設定回数がＭ回目以下であるときステップＳＴ１４に進み、サンプリング位相の再設定回数がＭ回を超えるときサンプリング位相の設定動作を終了する。
【００４９】
ステップＳＴ９で自動的にサンプリング位相の再設定を行うように設定されていると判別されてステップＳＴ１３に進むと、ステップＳＴ１３で制御部３０は、サンプリング位相の再設定回数がユーザによってあるいは初期設定によって予め設定されているＮ回目以下であるか否かを判別する。制御部３０は、サンプリング位相の再設定回数がＮ回目以下であるときステップＳＴ１４に進み、サンプリング位相の再設定回数がＮ回を超えるときサンプリング位相の設定動作を終了する。
【００５０】
ステップＳＴ１４で制御部３０は、ステップＳＴ３と同様にしてサンプリング位相設定処理を行いステップＳＴ５に戻る。
【００５１】
このようなサンプリング位相の設定動作を行うものとすれば、アナログ映像信号ＳＶaの供給が開始されて最初にサンプリング位相設定処理が行われたとき、例えば図６に示すような輝度変化が滑らかで隣接画素間のレベル差が少ない映像であったために、サンプリング位相が最適な状態に設定されないときでも、その後アナログ映像信号ＳＶaの映像が図８に示すように細かい文字や線が描画されている映像となって位相判別データＰＤが閾値を超えると、ユーザの指示に応じてあるいは自動的にサンプリング位相の再設定が行われる。このため、サンプリング位相が最適化されて細かい文字や線がボケを生じて表示されてしまうことを防止できる。
【００５２】
また、サンプリング位相の再設定の回数は、ユーザの指示に応じて行う場合にはＭ回以下、自動的に行うときはＮ回以下に制限することができるので、メニュー表示が頻繁に表示されたりサンプリング位相の再設定が頻繁に行われてしまうことを防止できる。また、「Ｍ」「Ｎ」の値をユーザが設定可能とすれば、サンプリング位相の再設定の回数を自由に設定できる。さらに、「Ｍ＝０」「Ｎ＝０」とすれば、従来と同じ動作も可能となる。
【００５３】
また、上述のサンプリング位相の設定動作では、入力端子１１にアナログ映像信号ＳＶaが供給されたとき、図３に示すサンプリング位相設定動作を開始するものとしたが、操作信号ＰＳによって入力切換操作が行われたことを制御部３０が判別して、信号切換部２１でディジタル映像信号ＤＶaを選択するように制御を行ったとき、サンプリング位相の設定動作を行うものとしてもよい。ここで、入力端子１１にアナログ映像信号ＳＶaが供給されたときにサンプリング位相の設定動作を開始すれば、例えば入力切換操作を行って、ディジタル映像信号ＤＶbに基づく映像表示からアナログ映像信号ＳＶaに基づく映像表示に切り換えたとき、細かい文字や線がボケを生じて表示されてしまうことを防止できる。また、入力切換操作を行って、アナログ映像信号ＳＶaに基づく映像表示を行うときにサンプリング位相の設定動作を開始すれば、表示されている映像が最適となるようにサンプリング位相を設定できる。
【００５４】
さらに、アナログ映像信号ＳＶaに基づく映像表示が行われているときに、ユーザの支持に応じてサンプリング位相の再設定を行うものとすれば、ディジタル映像信号ＤＶbに基づく映像表示が行われているときに、メニュー表示が行われてしまうことを防止できる。
【００５５】
ところで、閾値が予め指定された値に固定されている場合、映像によっては位相判別データＰＤが閾値を超えることがなく、サンプリング位相の再設定を行うことができない場合が生じてしまうおそれもある。そこで、過去に入力されたアナログ映像信号ＳＶaの位相判別データＰＤに基づいて閾値の設定および更新を行うことで、閾値を好ましい値に動的に変化させて、サンプリング位相の再設定を行えるようにしてもよい。
【００５６】
図４は閾値の設定動作を示すフローチャートである。ステップＳＴ２１で制御部３０は、図３のステップＳＴ５で取得した位相判別データＰＤが例えば隣接画素間のレベル差の累積値やディジタル映像信号ＤＶaの信号レベルを示すとき最大値を保持する。  ステップＳＴ２２で制御部３０は、アナログ映像信号ＳＶaの供給が終了したとき、ステップＳＴ２１で保持した位相判別データＰＤの最大値を記憶部３２に記憶する。
【００５７】
ステップＳＴ２３で制御部３０は、記憶部３２に記憶されている位相判別データＰＤの最大値から閾値を決定する。この閾値の決定では、前回、アナログ映像信号ＳＶaが入力されたときの位相判別データＰＤの最大値を閾値に設定したり、最大値に係数Ｋ（Ｋは１未満の値）を乗算して乗算結果を閾値に設定してもよい。また、記憶部３２にアナログ映像信号ＳＶaが複数回入力されたときの各回の位相判別データＰＤの最大値が記憶されているとき、この複数回の最大値の統計処理例えば平均値や分散等を求めて、平均値を閾値に設定するものとしたり、分散の状態に応じて平均値を補正して閾値に設定するものとする。なお、位相判別データＰＤがディジタル映像信号ＤＶaの信号レベルを示すときは、アナログ映像信号ＳＶaが複数回入力されたときの各回の位相判別データＰＤの最小値を記憶して、この記憶されている複数の最小値から閾値を設定する。
【００５８】
このようにすれば、過去に入力されたアナログ映像信号ＳＶaに応じて閾値が動的に変化されることから、閾値はユーザ毎の使用状態に応じた値を示すものとなり、予め指定した値に固定する場合に比べて最適化することができる。
【００５９】
なお、上述の実施の形態では、映像表示装置について説明したが、表示部２５を有しない映像信号処理装置にも適用できることは勿論である。
【図面の簡単な説明】
【００６０】
【図１】映像表示装置の構成を示す図である。
【図２】Ａ／Ｄ変換動作とサンプリング位相を説明するための図である。
【図３】サンプリング位相設定動作を示すフローチャートである。
【図４】閾値設定動作を示すフローチャートである。
【図５】従来のサンプリング位相設定動作を示すフローチャートである。
【図６】輝度変化が滑らかで隣接画素間のレベル差が少ない映像を示す図である。
【図７】Ａ／Ｄ変換動作とサンプリング位相を説明するための図である。
【図８】細かい文字や線が描画されている映像を示す図である。
【符号の説明】
【００６１】
１０・・・映像表示装置、１１・・・入力端子、１２・・・Ａ／Ｄ変換部、１３・・・周波数計測部、１４・・・クロック生成部、１５・・・ディジタル入力インタフェース部、１６・・・位相判別データ生成部、２１・・・信号切換部、２２・・・オンスクリーン表示処理部、２３・・・信号処理部、２４・・・映像出力処理部、２５・・・表示部、３０・・・制御部、３１・・・ユーザインタフェース部、３２・・・記憶部
【図１】
2009060454.tif 000003
【図２】
2009060454.tif 000004
【図３】
2009060454.tif 000005
【図４】
2009060454.tif 000006
【図５】
2009060454.tif 000007
【図７】
2009060454.tif 000008
【図８】
2009060454.tif 000009
【図６】
2009060454.tif 000010